(57)【要約】      （修正有）【課題】コンクリート天端のレベル出しをスムーズに行い、また、レベル精度を上げて容易に天端を均一に形成することのできるレベル出し治具を提供する。【解決手段】天端のレベル出し治具１は、ビス２のねじ込みを許容し、かつ、ねじ込んだビス２を任意の高さで保持しうる支持具３を備えている。支持具３は、同一平面上で複数方向に張り出した上部プレート３１と、この上部プレート３１の略中央部に貫通させて形成された、ビス２のねじ込み部３２と、上部プレート３１の下方にあって、ねじ込み部３２の外周に沿って配置された複数の差込み片３３，３３とを有する。【選択図】図１
0003151017.tif 000002
【実用新案登録請求の範囲】
【請求項１】
ビスのねじ込みを許容し、かつ、ねじ込んだビスを任意の高さで保持しうる支持具を備え、この支持具にねじ込んだビスのねじ込み量を調整してコンクリート天端のレベル出しを行うレベル出し治具であって、
前記支持具は、同一平面上で複数方向に張り出した上部プレートと、この上部プレートの略中央部に貫通させて形成されたビスのねじ込み部と、上部プレートの下方にあって、ねじ込み部外周に沿って配置された複数の差込み片とを有することを特徴とするレベル出し治具。
【請求項２】
請求項１に記載のレベル出し治具において、
前記差込み片は、それぞれ上面視で略Ｖ字状の屈折部又は波形状の屈曲部を有する形状に形成されていることを特徴とするレベル出し治具。
【請求項３】
請求項１又は２に記載のレベル出し治具において、
前記上部プレートは、ねじ込み部を中心として相対向する一対のプレートが略十字状に形成されていることを特徴とするレベル出し治具。
【請求項４】
請求項３に記載のレベル出し治具において、
前記差込片は、略十字状をなす上部プレートのうち、いずれか一方のプレート対の下方にのみ形成されていることを特徴とするレベル出し治具。
【請求項５】
請求項１又は２に記載のレベル出し治具において、
前記上部プレートは、ねじ込み部を中心とする放射状又は星形状に形成されていることを特徴とするレベル出し治具。
【考案の詳細な説明】
【技術分野】
【０００１】
本考案は、コンクリートの打設時に用いられるレベル出し治具に関する。
【背景技術】
【０００２】
従来、基礎コンクリート等の現場打ち工法において、型枠内にコンクリートを打設した後、さらにその上に、所定の天端レベルまでセルフレベリング材を流し込み、その流動性によって平坦な天端を形成することが広く知られている。その際、打設コンクリートの天端に釘を打ち込んで、この釘の上端を基準にして、釘の上端までセルフレベリング材を流し込んで天端レベルを設定するという手法がある。
【０００３】
しかし、釘を打ち込むためには、釘を保持できる程度まで固まった状態で、しかも、コンクリートが完全に硬化する前に釘打ち作業を行う必要があり、施工時間が限られると言う欠点があった。特に、夏場にもなると、コンクリートの硬化時間が短いため、適当な釘打ち時期を逸してしまうこともある。また、このように釘打ちすることによってレベルを正確に設定しても、特に短い釘の場合には、コンクリートの保持力が十分でなく、施行後に沈んだり斜めに倒れたりしてレベルが狂うおそれもあった。
【０００４】
また、上記のようなレベル出しは、予め少し高くなるように釘を打っておいて少しずつ慎重に打ち込む必要があり、打ち込みすぎると戻すことができないものであるため、あらためて別の位置に打ち込んでやり直さなければならず、施工に時間も手間もがかかるという問題があった。
【０００５】
そこで、例えば、特許文献１には、基礎型枠にコンクリートを打設し、その後、基礎天端のレベル出しのためのレベル出し治具を使用することが記載されている。この種のレベル出し治具は、基礎型枠の上端に架け渡すように固定される架橋板と、この架橋板に垂直に保持されて、上部に水糸が係止される係止部が設けられ、回転することによって保持位置が変化する基準棒体とから構成された第１治具と、前記基礎型枠の上端に固定される支持板と、この支持板に垂直に保持されて、回転することによって保持位置が変化する標示棒体とから構成された第２治具とを備えている。この第２治具の標示棒体の中途部は、くびれたレベル標示部が形成されている。そして、基礎型枠にコンクリートを打設し、２個の第１の治具を一組として所定の距離をおいて配設して取り付ける。その後、それぞれの第２治具の基準棒体を回転させることによってレベル調整を行い、これらの第１治具の係止部に水糸を張設する。そして、基礎型枠に前記第２治具を一組の第１治具の間に設置し、第２治具の標示部が、水糸の高さと一致するようにして第２治具の標示棒体の高さを調整する。このようにして第１治具及び第２治具の配置を完了させた後、打設されたコンクリート上にセルフレベリング材をそれぞれの治具の先端部分まで流し込むことによって、基礎天端を平らに均している。
【０００６】
しかし、上記のような従来のレベル出し治具は、基礎型枠にコンクリートを打設し、天端のレベル出し治具を基礎型枠に取り付けて、治具によって調整された所定の高さまでセルフレベリング材を流し込んで用いている。セルフレベリング材はコンクリートを打設した後に型枠の全周にわたって一気に流し込んでいるので、実際には高さの微調整が難しく、天端のレベル精度を上げることが困難であるという問題点がある。また、第１治具及び第２治具をそれぞれ基礎型枠に取り付けてネジ等で固定することにより随時取り付けているので、このような取付作業も面倒であり、施工期間を短縮することができないものである。
【０００７】
また、特許文献２には、打設したコンクリート天端に複数のせき止め用板を所定間隔で配置するとともに、天端釘をコンクリート天端から所定高さとなるようにレベル調整して埋め込み、隣り合うせき止め用板で区画されたせき止め区画内に、セルフレベリング材を天端釘の上端まで打設する施工方法が記載されている。天端釘は、コンクリートに埋め込まれる釘部と、この釘部の上端部に螺合される高さ調整部材であるビスとを備えている。天端釘は、高さ調整部材を回転させることによって、天端釘の上端の高さが調整される。また、天端釘の釘部にはツバが設けられており、このツバが見えなくなるようにコンクリートに埋め込んで用いられる構成となっている。
【先行技術文献】
【特許文献】
【０００８】
【特許文献１】特開平９−６００００号公報
【特許文献２】特開２００２−３３９３７５号公報
【考案の概要】
【考案が解決しようとする課題】
【０００９】
上記特許文献１に記載されたような方法では、レベル出しのための多種類の部材が必要であり、施工手間も煩雑なものである。また、特許文献２に記載されたようなレベル出し治具を用いる場合であっても、コンクリートが硬化する前に行う作業であるため、施工現場や時期によっては、コンクリートの保持力を十分に確保できない状態となり、コンクリートに埋め込まれる釘部が、コンクリートに沈み込んでしまって、やはりレベルが狂うおそれがある。また、コンクリートの硬化が不十分であると、釘部へビスをねじ込んでいく時に釘部が供回りしたり、傾きを生じたりするという問題点も考えられる。
【００１０】
そこで本考案は、上記のような従来の問題点にかんがみてなされたものであり、未硬化のコンクリートに対しても適切にかつ安定的に配置することを可能にして、効率よくレベル出し作業を進めることのできるレベル出し治具を提供するものである。
【課題を解決するための手段】
【００１１】
上記した目的を達成するため、本考案に係るレベル出し治具は、ビスのねじ込みを許容し、かつ、ねじ込んだビスを任意の高さで保持しうる支持具を備え、この支持具にねじ込んだビスのねじ込み量を調整してコンクリート天端のレベル出しを行うことを可能にするものである。
【００１２】
そして、本考案に係るレベル出し治具は前記支持具が、同一平面上で複数方向に張り出した上部プレートと、この上部プレートの略中央部に貫通させて形成されたビスのねじ込み部と、上部プレートの下方にあって、ねじ込み部外周に沿って配置された複数の差込み片とを有することを特徴としている。
【００１３】
このような構成により、未硬化のコンクリートに設置される支持具は、上部プレートの複数方向に張り出したプレート形状によって、傾きや沈み込みなどを生じず、適切にかつ安定的に配設することが可能となる。また、ねじ込み部の外周に形成された差込み片によって、ビスのねじ込み作業時においても、支持具が安定的に保持されることとなる。
【００１４】
また、本考案に係るレベル出し治具においては、前記差込み片は、それぞれ上面視で略Ｖ字状の屈折部又は波形状の屈曲部を有する形状に形成されていることが好ましい。
【００１５】
これにより、ビスのねじ込み量の調整を行う際に、ねじ込みによって生じる回転トルクに抗することができ、支持具の供回りを防止して、ビスを所望の量だけ容易にねじ込むことができる。
【００１６】
また、本考案に係るレベル出し治具においては、前記上部プレートは、ねじ込み部を中心として相対向する一対のプレートが略十字状に形成されていることが好ましい。また、前記上部プレートは、ねじ込み部を中心とする放射状又は星形状に形成されていてもよい。
【００１７】
このような形状で上部プレートが形成されることにより、上部プレートの周長を長く確保することができ、表面張力による浮力を効果的に利用して、支持具をコンクリートに設置することが可能となる。
【００１８】
また、かかるレベル出し治具において、上部プレートが略十字状に形成される場合には、前記差込み片は、当該上部プレートのうち、いずれか一方のプレート対の下方にのみ形成されていればよい。
【００１９】
これにより、ビスのねじ込み時に生じる回転トルクに対する抗力を得ることができ、ねじ込み量の調整を効率よく簡単に行うことができる。
【考案の効果】
【００２０】
上述のように構成される本考案のレベル出し治具によれば、未硬化のコンクリートに対しても適切にかつ安定的に配置することを可能にして、効率よくレベル出し作業を進めることができる。
【図面の簡単な説明】
【００２１】
【図１】本考案の一実施形態に係るレベル出し治具を示す斜視図である。
【図２】図１の実施形態に係るレベル出し治具を示し、図２（ａ）は平面図、図２（ｂ）は正面図、図２（ｃ）は側面図、図２（ｄ）は底面図である。
【図３】本考案の実施形態に係るレベル出し治具を用いてコンクリートを打設する一工程を示した断面図である。
【考案を実施するための形態】
【００２２】
以下、本考案の実施の形態に係るレベル出し治具を実施するための形態について、図面を参照しつつ説明する。
【００２３】
図１は本考案の一実施形態に係るレベル出し治具を示す斜視図である。また、図２（ａ）〜図２（ｄ）は、本実施形態に係るレベル出し治具を示し、図２（ａ）は平面図、図２（ｂ）は正面図、図２（ｃ）は側面図、図２（ｄ）は底面図である。また、図３は、実施形態に係るレベル出し治具を用いてコンクリートを打設する一工程を示した断面図である。
【００２４】
なお、図３においては図面を見やすくするために、レベル出し治具１における断面ハッチングを記載せず、透視的に示している。
【００２５】
図１に示すように、レベル出し治具１は、コンクリート天端のレベル設定用のビス２と、このビス２のねじ込みを許容し、かつ、ねじ込んだビス２を任意の高さで保持しうる支持具３とを備えている。
【００２６】
ビス２は、ねじ込んだ際のレベルが容易に確認できるように、頭部が平面状に形成された平ビスが好ましいが、鉄板用のビス、或いは木ビス等どのようなビスであってもよい。また、ビス２は、ステンレス製あるいはビス表面に防錆処理を施したものを使用することが望ましい。
【００２７】
支持具３は、同一平面上で複数方向に張り出した上部プレート３１と、ビス２のねじ込み部３２と、上部プレート３１の下方にあって、ねじ込み部３２の外周に沿って配置された複数の差込み片３３，３３とを有する。この支持具３は、親水性の低い合成樹脂系材料、例えばオレフィン形樹脂若しくは非晶性樹脂等により一体に形成されていることが好ましい。
【００２８】
上部プレート３１は、図２（ａ）〜（ｄ）に示されるように、ねじ込み部３２を挟んで相対向する方向に形成された一対のプレートが直交配置された形状により、略十字状に形成されている。例示の形態では、一方のプレートの対は、他方のプレートの対よりも幅広に形成されている。また、各プレートの辺縁部は、斜めに面取り形成されている。
【００２９】
この上部プレート３１の略中央部には、ビス２のねじ込み部３２が貫通するように形成されている。ねじ込み部３２は、円柱形状の外形をなすとともに、その下部に先鋭な円錐状の外形の先端部３２１を備えている。図１に示されるように、ねじ込み部３２の内側は、雌ねじ部３２２が形成されている。雌ねじ部３２２は、ねじ溝が螺旋状に形成されたものであっても、また、図示するように複数の突条に対してねじ溝が形成されたものであってもよい。
【００３０】
これにより、ビス２のねじ込みを許容し、かつ、ねじ込んだビス２を任意の高さで保持しうるように構成されている。上部プレート３１の上方には、ねじ込み部３２の上方が突出するように形成されており、上部プレート３１と同レベルに打設されるコンクリート（図３の符号１０参照）に対して埋没しないように形成されている。
【００３１】
また、差込み片３３，３３は、例示の形態では、略十字状に形成された上部プレート３１の二組のプレート対のうち、一方のプレート対の下方にのみ配設されており、一対の差込み片３３，３３を構成している。各差込み片３３は、ねじ込み部３２の外周面に沿って、上部プレート３１の下方から先端部３２１までの範囲に、同軸方向に配設されている。
【００３２】
かかる一対の差込み片３３，３３は、ねじ込み部３２を挟んで対称形状に形成されている。例示の形態では、各差込み片３３の形状は、上面視で略Ｖ字状の屈折部を複数箇所に有する折曲形状とされている。このような差込み片３３の形状は、図示する形態に限定されず、かかる屈折部が少なくとも１つ形成された折曲形状であることが好ましい。また、例示の形態のほか、上面視で波形状や丸波形状の屈曲部を有する波板状の差込み片３３であってもよい。
【００３３】
このように構成される支持具３とビス２を用いて、コンクリート天端のレベル出しを行うことができる。すなわち、図３に示すように、上記支持具３を、打設されているコンクリート１０が完全に硬化する前の適当な段階で、コンクリート１０の上面に配設する。
【００３４】
支持具３は、ねじ込み部３２の先端部３２１が先鋭に形成されているので、コンクリート１０の上方からスムーズに差し込んで配設することができる。支持具３は、上部プレート３１とコンクリート１０の上面とが、ほぼ同レベルとなるように配設される。
【００３５】
ここで、上部プレート３１は複数方向に張り出すプレートを有して（上記例では略十字状に）形成されているので、上部プレート３１の周長が、当該プレートが円形や楕円形であるとした場合に比べて長くなっている。未硬化の状態でのコンクリートにおいて、表面張力による浮力は、対象物の周長とコンクリートの表面張力定数との積により得られることから、上記のように周長の長い上部プレート３１の場合には、コンクリート１０に対して表面張力による浮力を大きくすることができる。よって、例示の形態の支持具３では、単純な円形や楕円形のプレートを上部に有するようなレベル出し治具よりも、表面張力による浮力を大きくすることが可能となっている。
【００３６】
ちなみに、未硬化の状態のコンクリートに対する浮力のみで、レベル出し治具を浮かせて配置しようとした場合、浮力と治具との重量バランスに安定さを欠き、結果的に治具が浮いてしまったり、逆に沈んでしまったりする現象が起こる。この点で、本実施形態のレベル出し治具１によれば、支持具３の上部プレート３１において、表面張力を利用することの可能な形状であるため、必要以上に支持具３が浮き上がらず、ほぼ一定の位置に適当な浮力の作用のもとで設置することが可能となる。よって、支持具３を、従来よりも格段に安定した状態でコンクリート１０に設置することが可能となる。
【００３７】
このように適切かつ安定的に設置した支持具３においては、コンクリート１０がある程度硬化した後、ビス２のねじ込み量が調整される。ビス２は、ねじ込み量の調整時に取り付けられても、また、支持具３のねじ込み部３２の雌ねじ部３２２に対して、あらかじめ取り付けられてあってもよい。コンクリート天端のレベル出しは、この支持具３にねじ込むビス２のねじ込み量を調整することにより行われる。
【００３８】
ビス２のねじ込みに際し、硬化したコンクリート１０に固定された支持具３は、差込み片３３，３３がビス２のねじ込みによって発生する回転トルクに抗することとなる。すなわち、差込み部３３の形状が平板状ではなく、図示するように折曲形状に形成されていることによって、ビス２のねじ込みによる支持具３の供回りを防止し、コンクリート３の境界層の厚さや乱流の発生程度によってより大きな抗力を生じて、ビス２を所望の量だけ容易にねじ込むことを可能にする。
【００３９】
図３に示すように、適当な間隔で支持具３をコンクリート１０に配設し、各レベル出し治具１においてビス２のねじ込み量の調整が完了すると、ビス２の頭部のレベルを目安にして、セルフレベリング材等を打設して、その流展性に従ってコンクリート天端のレベル出しを行うことができる。
【００４０】
このように、本考案は、ビス２をコンクリート１０に直接ねじ込むのではなく、ビス２のねじ込みを許容し、かつ、ねじ込んだビス２を任意の高さで保持しうる支持具３を、コンクリート１０に設置し、ねじ込み部３２にビス２をねじ込むことによってレベル出し可能とするものであるので、ビス２を所望のレベルに容易に保持することができ、ねじ込み量の加減も簡単に行うことができる。
【００４１】
また、従来の治具のように、コンクリートに設置する際、傾いたり沈み込んでしまったりするおそれがなく、ビス２との供回りも生じないので、効率よくレベル出し作業を進めることが可能となる。
【００４２】
なお、本考案は、他にも様々な形で実施することができ、上記の実施形態はあらゆる点で単なる例示にすぎない。例えば支持具３の上部プレート３１、略十字状の形状に形成されるに限らず、ねじ込み部３２を中心とする放射状又は星形状に形成されたものであってもよく、同一平面上で複数方向にプレートが張り出した形状であればどのようでな形態であってもよい。これによって、上部プレート３１が未硬化のコンクリートの表面張力による浮力を十分に得て、コンクリートに沈み込むことなく支持具３を設置することが可能となる。
【産業上の利用可能性】
【００４３】
本考案は、コンクリート天端のレベル出しを行う際に好適に利用することができる。
【符号の説明】
【００４４】
１      レベル出し治具
２      ビス
３      支持具
３１    上部プレート
３２    ねじ込み部
３２１  先端部
３２２  雌ねじ部
３３    差込み片
１０    コンクリート
【図１】
0003151017.tif 000003
【図２】
0003151017.tif 000004
【図３】
0003151017.tif 000005